(57)【要約】  追加ノズル取付け用のアタッチメントと常用ノズルとの両部材間の周方向回動という簡単な取付け操作を維持しつつ、この両部材間の内容物シール作用の不用意な解除の阻止化を図る。  追加ノズル(3r)を備えたアタッチメント(3)には、第１のカム作用部(3n)と第１のシール保持部(3j,3m)とを持つカム作用開口部(3f)を設け、操作ボタン(1)の常用ノズル(2)には、第２のカム作用部(2d)と第２のシール保持部(2b,2e)とを持つ角柱凸状部(2a)を設けた。常用ノズル(2)にアタッチメント(3)を取り付けるには、その前後方向溝状部(3g)を角柱凸状部(2a)に合致させてから後方にスライド操作し、次にＡ方向に回動操作する。この回動時のカム作用部(3n,2d)の作用により、常用ノズル(2)と環状起立部(3d)とが密接し、そのシール状態を、第１のシール保持部(3j,3m)と第２のシール保持部(2b,2e)との当接作用で確実に保持する。
2017195452.tif 000002
【特許請求の範囲】
【請求項１】
外部空間域への内容物流出部材に、追加ノズル具備用のアタッチメント部材が、これら双方の部材の周方向への相対的な回動操作をともなう形で着脱されるアタッチメント取付け構造において、
前記双方の部材の一方は、前記回動操作により、
その他方とのカム作用に基づいて前後方向に相対移動でき、前記内容物流出部材および前記アタッチメント部材の間の内容物シール作用を設定または解除する前記周方向の第１のカム作用部と、
前記内容物シール作用を設定する前記第１のカム作用部の端部分から前記周方向に前記カム作用なしの態様で連続形成されて、前記解除にいたる前後方向への相対的な移動を阻止する第１のシール保持部と、を有し、
前記双方の部材の他方は、前記回動操作により、
前記第１のカム作用部と連係して、前後方向に相対移動しえる第２のカム作用部と、
前記第１のシール保持部に当接して、前記解除にいたる前後方向への相対的な移動を阻止する第２のシール保持部と、を有している、
ことを特徴とするアタッチメント取付け構造。
【請求項２】
前記一方は、
前記双方の部材の取付け初期段階で、前記第２のカム作用部および前記第２のシール保持部が相対的に通過しえる前後方向の通過作用部と、
前記通過作用部に基づく相対的な前後方向移動にともなう前記取付け初期段階のとき、前記内容物シール作用の位置までにはいたらず前記他方と当接する初期位置設定部と、を有し、
前記第１のカム作用部および前記初期位置設定部は、
前記初期位置設定部に保持された前記他方の前記第２のカム作用部が前記回動操作により前記第１のカム作用部と当接する、位置関係にて配設された、
ことを特徴とする請求項１記載のアタッチメント取付け構造。
【請求項３】
前記一方および前記他方は、
それぞれ筒状部からなり、
前記第１のカム作用部および前記第１のシール保持部は、
前記一方の筒状部周面に形成された開口部の周方向端面であり、
前記第１のシール保持部の前記周方向端面は、
前記開口部を構成する一対の対向端面の形で設定され、
前記初期位置設定部は、
前記通過作用部の延長線上に、前記第１のカム作用部と対向する側の前記周方向端面の形で設定された、
ことを特徴とする請求項１または２記載のアタッチメント取付け構造。
【請求項４】
請求項１乃至請求項３のいずれかに記載のアタッチメント取付け構造を備え、かつ、容器本体に噴射用ガスおよび内容物を収納した、
ことを特徴とするエアゾール式製品。
【請求項５】
請求項１乃至請求項３のいずれかに記載のアタッチメント取付け構造を備え、かつ、容器本体に内容物を収納した、
ことを特徴とするポンプ式製品。
【発明の詳細な説明】
【技術分野】
【０００１】
本発明は、外部空間域への各種の内容物流出部材に、追加ノズル取付け用のアタッチメント部材が、これら双方の部材の周方向への相対的な回動操作をともなう形で着脱されるアタッチメント取付け構造に関する。また、このアタッチメント取付け構造を備えたエアゾール式製品およびポンプ式製品に関する。【０００２】
内容物流出部材は、エアゾール式製品やポンプ式製品の内容物放出部として作用する任意の部材であり、後述のように操作ボタンに取り付けられた常用ノズルなどである。【０００３】
本明細書では、常用ノズル２や追加ノズル３ｒの内容物放出側を「前」、それとは反対の例えば内容物通路域１ａの側を「後」と記す。また、この前後方向を「横」ともいい、図示上下方向を「縦」ともいう。
【背景技術】
【０００４】
従来、噴射ノズル（本件常用ノズルに相当）に先端ノズル（本件追加ノズルに相当）を取り付けるための構造として、先端ノズルにはその長手方向に対する斜め溝を形成し、噴射ノズルにはこの斜め溝に対応した突状を形成したものが知られている（下記特許文献１の図７，図８および段落番号[００８４]を参照）。【０００５】
この先端ノズルを噴射ノズルに取り付けるとき、
[００８４]で記載の「先端ノズル43は、係止突起44aが上方に向けられた図７の状態から、先端ノズル43の軸方向に回転させることにより、係止突起44aが水平方向に向けられた図８の状態に変位され、溝と突状とが係合されて、・・・」となる。
【先行技術文献】
【特許文献】
【０００６】
【特許文献１】特開２０１５−１８２８１３号公報
【発明の概要】
【発明が解決しようとする課題】
【０００７】
上述した従来の先端ノズル取付け構造は、もっぱら先端ノズル（追加ノズル）などの回転操作に基づくその斜め溝と噴射ノズル（常用ノズル）の突状との係合動作を、利用したものである。【０００８】
そのため、噴射ノズルに取り付けられた先端ノズルは、利用者などがこれを不意に取付けのときとは逆方向に少し回転させた場合にも、この斜め溝にいわば倣う形で噴射ノズルとの本来の内容物シール状態からいわば逃げる方向に移動してしまうと思料される。【０００９】
本発明では、略従来と同様、常用ノズル（噴射ノズル）などの内容物流出部材および追加ノズル（先端ノズル）固定用のアタッチメント部材の相対回動操作により双方部材を一体化する、すなわち追加ノズルを常用ノズル側に取り付けることを前提にしている。【００１０】
そして、これら双方の部材に、
前記相対回動操作にともない追加ノズルが常用ノズルの方に近づいて部材間の内容物シール状態を設定するカム作用部と、
これに続き、前記逆方向への回動によってもこの部材同士が内容物シール状態から離間しないように設定するシール保持部と、を有している。【００１１】
本発明は、このように双方の各部材（内容物流出，アタッチメント）にカム作用部とシール保持部とを設けて、部材間の周方向回動という簡単な取付け操作を維持しつつ、部材間の内容物シール作用の不用意な解除の阻止化を図ることを目的とする。
【課題を解決するための手段】
【００１２】
本発明は、以上の課題を、次の構成要件を備えたアタッチメント取付け構造によって解決する。
（１）外部空間域への内容物流出部材（例えば後述の常用ノズル２）に、追加ノズル（例えば後述の追加ノズル３ｒ）具備用のアタッチメント部材（例えば後述のアタッチメント３）が、これら双方の部材の周方向への相対的な回動操作をともなう形で着脱されるアタッチメント取付け構造において、
前記双方の部材の一方（例えば後述のアタッチメント３）は、前記回動操作により、
その他方（例えば後述の常用ノズル２）とのカム作用に基づいて前後方向に相対移動でき、前記内容物流出部材および前記アタッチメント部材の間の内容物シール作用を設定または解除する前記周方向の第１のカム作用部（例えば後述の従動テーパ面３ｎ）と、
前記内容物シール作用を設定する前記第１のカム作用部の端部分（例えば後述の従動テーパ面３ｎのＢ方向端部）から前記周方向に前記カム作用なしの態様で連続形成されて、前記解除にいたる前後方向への相対的な移動を阻止する第１のシール保持部（例えば後述の前側円弧面３ｊ，後側円弧面３ｍ）と、を有し、
前記双方の部材の他方（例えば後述の常用ノズル２）は、前記回動操作により、
前記第１のカム作用部と連係して、前後方向に相対移動しえる第２のカム作用部（例えば後述の基準テーパ面２ｄ）と、
前記第１のシール保持部に当接して、前記解除にいたる前後方向への相対的な移動を阻止する第２のシール保持部（例えば後述の前端面２ｂ，非テーパ面状の後端面２ｅ）と、を有している、
構成態様のものを用いる。
（２）上記（１）において、
前記一方は、
前記双方の部材の取付け初期段階で、前記第２のカム作用部および前記第２のシール保持部が相対的に通過しえる前後方向の通過作用部（例えば後述の前後方向溝状部３ｇ）と、
前記通過作用部に基づく相対的な前後方向移動にともなう前記取付け初期段階のとき、前記内容物シール作用の位置まではいたらず前記他方と当接する初期位置設定部（例えば後述の初期設定テーパ面３ｈ）と、を有し、
前記第１のカム作用部および前記初期位置設定部は、
前記初期位置設定部に保持された前記他方の前記第２のカム作用部が前記回動操作により前記第１のカム作用部と当接する、位置関係にて配設された、
構成態様のものを用いる。
（３）上記（１），（２）において、
前記一方および前記他方は、
それぞれ筒状部からなり、
前記第１のカム作用部および前記第１のシール保持部は、
前記一方の筒状部周面に形成された開口部の周方向端面であり、
前記第１のシール保持部の前記周方向端面は、
前記開口部を構成する一対の対向端面の形で設定され、
前記初期位置設定部は、
前記通過作用部の延長線上に、前記第１のカム作用部と対向する側の前記周方向端面の形で設定された、
構成態様のものを用いる。【００１３】
本発明は、このようなアタッチメント取付け構造、ならびにこのアタッチメント取付け構造を備えて、後述の噴射用ガス，内容物などを収容したエアゾール式製品および後述の内容物などを収容したポンプ式製品を対象とする。
【発明の効果】
【００１４】
本発明は以上の課題解決手段をとることにより、内容物流出部材およびアタッチメント部材間の相対的な周方向の回動操作という簡単な取付け操作を維持しつつ、これら双方の部材間のシール作用の不用意な解除の阻止化を図ることができる。
【図面の簡単な説明】
【００１５】
【図１】追加ノズル３ｒを装着したアタッチメント３およびこれが取り付けられる操作ボタン１の常用ノズル２それぞれの斜視状態での関連構成を示す説明図である。
【図２】図１のアタッチメント３および操作ボタン１の一部断面の側面視状態を示す説明図である。
【図３】図２のアタッチメント３の「Ｃ−Ｃ′」縦断面を示す説明図である。
【図４】図１，図２のアタッチメント３の操作ボタン１への取付け開始段階を示す説明図である。
【図５】図４に続いてアタッチメント３を後方向（または操作ボタン１を前方向）に最終位置までスライドさせた取付け初期段階（スライド操作後）を示す説明図である。
【図６】図５の操作ボタン１とアタッチメント３との相対回動操作にともなうカム作用により、アタッチメント３を後方向（または操作ボタン１を前方向）に移動させて追加ノズル３ｒと常用ノズル２とのシールを確保した取付け中間段階（回動操作前半）を示す説明図である。
【図７】図６に続く相対回動操作により、アタッチメント３を、追加ノズル３ｒと常用ノズル２との確実なシール状態で操作ボタン１に保持する取付け最終段階（回動操作後半）を示す説明図である。
【図８】アタッチメントを取り付けたエアゾール式製品などの外観概要を示す説明図である。
【発明を実施するための最良の形態】
【００１６】
図１乃至図８を用いて本発明を実施するための最良の形態を説明する。【００１７】
上述したように本発明はエアゾール式製品およびポンプ式製品を対象としているが、図を用いた以下の記載では、単なる説明の便宜上エアゾール式製品の場合を前提とする。【００１８】
また、操作ボタン１とアタッチメント３との前後方向や周回方向への移動は双方の相対的な動きであるが、同じく単なる説明の便宜上、操作ボタン固定でのアタッチメントの移動を前提とする。【００１９】
なお、以下のアルファベット付き参照番号の構成要素（例えば内容物通路域１ａ）は原則として、この参照番号数字部分の構成要素（例えば操作ボタン１）の一部または関連部分であることを示している。【００２０】
図１乃至図８において、
Ａは図１で示すように、後述の追加ノズル３ｒおよびアタッチメント３をその内容物放出口の側からみたときの時計方向であって、後述の常用ノズル２に対するアタッチメント取付けの回動操作方向，
Ｂは回動操作方向Ａとは逆の反時計方向であって、後述の常用ノズル２に対するアタッチメント取外しの回動操作方向，
をそれぞれ示している。【００２１】
また、
１は例えば押下げ操作により、後述のステム４を下方に連動させて周知の弁作用部が開状態に移行した形の内容物放出モードを設定する操作ボタン，
１ａは操作ボタン１の内部に形成されて、後述の常用ノズル２およびステム通路部４ａと連通する内容物通路域，
をそれぞれ示している。【００２２】
また、
２は内容物通路域１ａの流出側に嵌合して、後述のアタッチメント３が取外し自在な形で取り付けられる内容物流出部材としての筒状の常用ノズル，
２ａは常用ノズル２の前端側外周面の周方向１８０度の離間対向位置にそれぞれ形成されて、当該常用ノズルへの着脱回動操作時のアタッチメント３を、後述のカム作用開口部３ｆとの間で回動・前後方向に案内するリブ態様の一対の角柱凸状部，
２ｂは角柱凸状部２ａの一部であって、アタッチメント取付け操作の初期挿入段階で後述の初期設定テーパ面３ｈのＡ方向先端部分に当接保持され、かつ、取付け操作終了状態のときには後述の前側円弧面３ｊに当接保持される図示縦方向平面状で第２のシール保持部としての前端面，
２ｃは前端面２ｂそれぞれのＢ方向先縁部分から後方に連続形成されて、アタッチメント取付け操作の終了状態のとき後述の横平面３ｋに当接保持される水平態様の上端面，
２ｄは上端面２ｃの後縁部分から略Ａ方向への上り傾斜態様で連続形成されて、アタッチメント取付け操作の際に後述の従動テーパ面３ｎを案内する第２のカム作用部としての基準テーパ面，
２ｅは基準テーパ面２ｄのＡ方向前端部分から当該Ａ方向に連続形成されて、アタッチメント取付け操作の終了状態のとき後述の後側円弧面３ｍに当接保持される図示縦方向平面状で第２のシール保持部としての後端面（非テーパ面），
をそれぞれ示している。【００２３】
また、
３は後述の追加ノズル３ｒを備えて常用ノズル２に着脱されるアタッチメント部材としての筒状のアタッチメント，
３ａはアタッチメント３の前開口空間域を形成する小径の前筒状部，
３ｂはアタッチメント３の後開口空間域を形成する大径の後筒状部，
３ｃは前筒状部３ａと後筒状部３ｂとのあいだのいわば仕切り壁部に形成された内容物通過用の孔部，
３ｄは後筒状部３ｂの前側環状底面に孔部３ｃを取り囲む態様で形成されて、アタッチメント３が常用ノズル２へ取り付けられたときにその内容物流出側外周面との密接シール状態を設定する環状起立部，
３ｅは常用ノズル２に取り付けられるアタッチメント３の初期セット位置の目安を示し、アタッチメント回動操作時の把持部分となり、また、取り外し状態の当該アタッチメントを後述の容器本体５に収納する際の引っ掛け部分として作用するＬ字状部，
３ｆはそれぞれ後述の構成要素３ｈ，３ｊ，３ｋ，３ｍ，３ｎからなり、後筒状部３ｂの外周面周方向１８０度の離間対向位置に周方向開口態様で形成されて、アタッチメント３を、常用ノズル２の側との相対的な回動操作にともなう基準テーパ面２ｄおよび従動テーパ面３ｎの間のカム作用により常用ノズル２の内容物流出側にシール状態で設定する、ための一対のカム作用開口部，
３ｇは後筒状部３ｂの内周面にその後端部分からカム作用開口部３ｆに通じる態様で形成されて、アタッチメント３を常用ノズル２に取り付けるときの角柱凸状部２ａの通過域として作用する一対の通過作用部としての前後方向溝状部，
３ｈはカム作用開口部３ｆのＡ方向先端側の前縁部分であって、後筒状部３ｂが常用ノズル２の外側に相対的に挿入されるとき、前端面２ｂのＡ方向先縁部分が当接してそれ以上の挿入を阻止し、これにより環状起立部３ｄと常用ノズル２との離間状態が保持されるＢ方向の外広がり態様（Ｂ方向先側ほど前方位置となる態様）で初期位置設定部としての初期設定テーパ面（周方向端面），
３ｊは初期設定テーパ面３ｈのＢ方向先端部分から当該Ｂ方向に連続形成されて、アタッチメント取付け操作終了時に前端面２ｂに当接保持される第１のシール保持部としての前側円弧面（周方向端面，対向端面），
３ｋは前側円弧面３ｊのＢ方向先端部分から後方向に連続形成されて、アタッチメント取付け操作終了時に上端面２ｃに当接保持される前後方向の横平面，
３ｍは横平面３ｋの後端部分からＡ方向に連続形成されて、アタッチメント取付け操作終了時に後端面２ｅに当接保持される第１のシール保持部としての後側円弧面（周方向端面，対向端面），
３ｎは後側円弧面３ｍのＡ方向先端部分から当該Ａ方向に連続形成されて、この方向へのアタッチメント回動操作の際に基準テーパ面２ｄに案内されながら当該アタッチメントを後方に移動させるため、すなわち常用ノズル２と環状起立部３ｄとの密接状態を担保するための、Ａ方向の外広がり態様（Ａ方向先側ほど後方位置となる態様）で第１のカム作用部としての従動テーパ面（周方向端面），
３ｐは前筒状部３ａに嵌合状態で取り付けられた内容物放出通路設定用のスリーブ，
３ｒはスリーブ３ｐに取り付けられて内容物放出通路を構成する長尺の追加ノズル，
をそれぞれ示している。【００２４】
また、
４は周知のエアゾールバルブ機構の構成要素であってコイルスプリング（図示省略）の弾性力により上方向に付勢され、弁作用および内容物通過作用を呈する上下動可能なステム（図８参照），
４ａは内容物通過用のステム通路部，
５は後述の内容物および噴射用ガスを収納した周知の容器本体（図８参照），
をそれぞれ示している。【００２５】
ここで、操作ボタン１，常用ノズル２，アタッチメント３，スリーブ３ｐ，追加ノズル３ｒおよびステム４は例えばポリプロピレン，ポリエチレン，ポリアセタール，ナイロン，ポリブチレンテレフタレートなどからなるプラスチック製のものである。容器本体５は金属製のものである。【００２６】
図１および図２の追加ノズル３ｒを備えたアタッチメント３を常用ノズル２へ取り付ける際の操作は、
(11)先ず、アタッチメント３を所定の周方向位置関係で常用ノズル２の前方から後方への軸方向（長手方向）に移動させて、当該常用ノズルの角柱凸状部２ａを当該アタッチメントのカム作用開口部３ｆにいわばセットする後方へのスライド操作と、
(12)これに続くアタッチメント３のＡ方向への回動にともなってカム作用開口部３ｆの従動テーパ面３ｎを角柱凸状部２ａの基準テーパ面２ｄに倣わせ、この倣いカム動作により当該アタッチメントが後方に移動してその環状起立部３ｄを常用ノズル２の流出側外周面に密接させる回動操作前半と、
(13)さらなるアタッチメント３のＡ方向への継続回動により、カム作用開口部３ｆの前側円弧面３ｊおよび後側円弧面３ｍで角柱凸状部２ａの前端面２ｂと後端面２ｅとをいわば挟持した状態に設定する回動操作後半と、
に大別される。【００２７】
このように、アタッチメント３の前後方向溝状部３ｇを角柱凸状部２ａに対していわば周方向位相が合致するようにセットし（図４参照）、その後、上述の後方スライド操作および回動操作を連続実行することにより、アタッチメント３は角柱凸状部２ａに確実に取り付けられる。【００２８】
アタッチメント３の後方へのスライド操作は、その初期設定テーパ面３ｈのＡ方向先端部分が角柱凸状部２ａの前端面２ｂに当接した段階で終了する（図５参照）。【００２９】
この初期設定テーパ面３ｈおよび前端面２ｂの当接段階のとき、追加ノズル３ｒとの連通空間域を構成して一体の環状起立部３ｄは、常用ノズル２の流出側部分から離間している。すなわち、常用ノズル２の流出側部分と追加ノズル３ｒの流入側部分とのシール作用は担保されていない。【００３０】
このシール作用なしのアタッチメント３に対するＡ方向への回動操作前半において、当該アタッチメントは、その従動テーパ面３ｎが固定状態の基準テーパ面２ｄに案内されながら後方へ移動する。【００３１】
このアタッチメント３の後方への移動により、環状起立部３ｄが常用ノズル２の流出側部分にいわば浅く密接した状態に設定される(図６参照)。【００３２】
さらなるＡ方向への回動操作後半においてアタッチメント３は、対向状態でともに非テーパ面の前側円弧面３ｊおよび後側円弧面３ｍがそれぞれ常用ノズル２の前端面２ｂおよび後端面２ｅに案内される形で、Ａ方向に回動していく（図７参照）。この前端面２ｂおよび後端面２ｅに案内されるアタッチメント３が前後方向に移動することはない。【００３３】
このときアタッチメント３は、図７に示すようにその環状起立部３ｄが常用ノズル２の流出側部分に深く密接して両者間の確実なシール作用を担保する。【００３４】
そしてアタッチメント３は、前後方向の横平面３ｋが角柱凸状部２ａの上端面２ｃに当接した段階で停止する。【００３５】
このようにして常用ノズル２に取り付けられたアタッチメント３は、図７で示すように、その前後方向と直交状態の面部分である前側円弧面３ｊおよび後側円弧面３ｍが、角柱凸状部２ａの前端面２ｂと後端面２ｅとをいわば挟んだ状態で保持されている。【００３６】
そしてアタッチメント３の前後方向に対していわば斜め状態の従動テーパ面３ｎは、カム作用相手の基準テーパ面２ｄから離間し、角柱凸状部２ａに何ら保持されていない。【００３７】
そのためアタッチメント３は、その前側円弧面３ｊおよび後側円弧面３ｍと角柱凸状部２ａとのいわば係合作用により、本来の取付け位置の状態へ安定的、確実に保持されて常用ノズル２との間の内容物シール作用を担保できる。【００３８】
また、常用ノズル２に正しく取り付けられているアタッチメント３を利用者などが無意識にＢ方向・前方向に移動させようとしたとしても、前側円弧面３ｊおよび後側円弧面３ｍの平行対向部分によって前方向への移動が阻止される。【００３９】
このアタッチメント３に対する移動阻止作用にともない、アタッチメント取付け状態での環状起立部３ｄと常用ノズル２の流出側部分との間のシール作用が不用意に解除されたり、当該アタッチメントが常用ノズル２から離脱したりすることなどが回避される。【００４０】
図７の取付け最終段階における常用ノズル２からアタッチメント３を取り外すときは、例えば、
(21)アタッチメント３を前方向に引きながらＢ方向に回動操作して、これにより従動テーパ面３ｎが角柱凸状部２ａの基準テーパ面２ｄに案内されながら、前後方向溝状部３ｇの前端側がこの基準テーパ面およびこれに続く後端面２ｅに対向する位置まで戻し（図５参照）、
(22)この後端面２ｅなどとの対向状態のアタッチメント３を常用ノズル２から前方に引き出す、
ようにすればよい。【００４１】
操作ボタン１を押し下げると、ステム４が下方に連動して周知の弁作用部(図示省略)が作動する。【００４２】
この弁作用部の作動により、容器本体５の内容物が、ステム通路部４ａおよび当該操作ボタンの内容物通路域１ａなどを経て常用ノズル２または長尺の追加ノズル３ｒから外部空間域に放出される。【００４３】
本発明が、図示の実施形態に限定されないことは勿論であって例えば、
(31)操作ボタン１の内容物通路域１ａに相当する部分を常用ノズル２に代わる内容物流出部材として用い、角柱凸状部２ａも操作ボタン側に形成する、
(32)角柱凸状部２ａに相当する部分をアタッチメント３に形成し、カム作用開口部３ｆおよび前後方向溝状部３ｇに相当する部分を常用ノズル２や操作ボタン１に形成する、
ようにしてもよい。【００４４】
本発明が適用されるエアゾール式製品，ポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。【００４５】
容器本体に収納する内容物としては、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。【００４６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロースおよびこれらの混合物などを用いる。【００４７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。【００４８】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。【００４９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。【００５０】
高分子化合物としては、メチルセルロース，ゼラチン，デンプン，カゼイン，ヒドロキシエチルセルロース，キサンタンガム，カルボキシビニルポリマーなどを用いる。【００５１】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。【００５２】
さらに、上記内容物以外の、懸濁剤，紫外線吸収剤，乳化剤，保湿剤，酸化防止剤、金属イオン封鎖剤なども用いることができる。【００５３】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００５４】
Ａ：アタッチメント取付けの回動操作方向
Ｂ：アタッチメント取外しの回動操作方向【００５５】
１：操作ボタン
１ａ：内容物通路域【００５６】
２：常用ノズル
２ａ：一対の角柱凸状部
２ｂ：前端面
２ｃ：上端面
２ｄ：基準テーパ面
２ｅ：後端面（非テーパ面）【００５７】
３：アタッチメント
３ａ：小径の前筒状部
３ｂ：大径の後筒状部
３ｃ：孔部
３ｄ：環状起立部
３ｅ：Ｌ字状部
３ｆ：一対のカム作用開口部
３ｇ：一対の前後方向溝状部
３ｈ：初期設定テーパ面
３ｊ：前側円弧面
３ｋ：前後方向の横平面
３ｍ：後側円弧面
３ｎ：従動テーパ面
３ｐ：スリーブ
３ｒ：長尺の追加ノズル【００５８】
４：ステム
４ａ：ステム通路部
５：容器本体
【図１】
2017195452.tif 000003
【図２】
2017195452.tif 000004
【図３】
2017195452.tif 000005
【図４】
2017195452.tif 000006
【図５】
2017195452.tif 000007
【図６】
2017195452.tif 000008
【図７】
2017195452.tif 000009
【図８】
2017195452.tif 000010
【国際調査報告】
2017195452.tif 000011
2017195452.tif 000012
2017195452.tif 000013
2017195452.tif 000014